(57)【要約】【課題】音や振動を確実に低減することのできる耐火性を有する遮音防振シートを提供する。【解決手段】遮音防振シート１は、金属被膜２１を設けた樹脂シート２２からなる外層２と、外層２の樹脂シート２２側に積層され、高比重の無機質繊維製シートからなる中間層３と、中間層３に積層され、低比重の無機質繊維製シートからなる内層４と、から構成される。そして、音や振動は、内層４（低比重の無機質繊維製シート）が吸音層として機能することにより、反射することなく吸収されて減衰され、また、中間層３（高比重の無機質繊維製シート）が遮音層として機能することにより、外部へ透過することが抑制される。一方、外層２は、耐火層として機能し、燃焼を防止する。このため、耐火性能を確保するとともに、音や振動を、外部への透過を抑制しつつ低減することができる。【選択図】  図１
2007262713.tif 000002
【特許請求の範囲】
【請求項１】
金属被膜を設けた樹脂シートからなる外層と、外層の樹脂シート側に積層され、高比重の無機質繊維製シートからなる中間層と、中間層に積層され、低比重の無機質繊維製シートからなる内層と、から構成されることを特徴とする遮音防振シート。
【請求項２】
前記請求項１記載の遮音防振シートが、建築物の区画貫通部に挿通されるとともに、建築物の排水配管を構成する管継手または管の、前記区画貫通部に対応する部分に巻き付けられていることを特徴とする管継手または管。
【請求項３】
前記請求項２記載の管継手または管が、建築物の区画貫通部に挿通されるとともに、区画貫通部がモルタルによって埋め戻されていることを特徴とする管継手構造または管構造。
【請求項４】
前記請求項１記載の遮音防振シートが、建築物の排水配管を構成する管継手および該管継手に接続された排水立て管の全長にわたって巻き付けられていることを特徴とする排水立て管構造。
【発明の詳細な説明】
【技術分野】
【０００１】
この発明は、耐火性を有するとともに、遮音性および防振性に優れた遮音防振シート、遮音防振シートを巻き付けた管継手または管、管継手または管を区画貫通部に配設した管継手構造または管構造ならび遮音防振シートを巻き付けた排水立て管構造に関するものである。
【背景技術】
【０００２】
従来より、図７に示すように、集合住宅、ホテル、事務所ビルなどの排水配管１０は、建築物の区画貫通部、すなわち、床スラブＦや隔壁Ｗなどに形成された貫通孔ｋに配設された管継手１１，１１’と、管継手１１の上部接続部１１ａおよび下部接続部１１ｂにそれぞれ接続された排水立て管１２と、管継手１１の横枝管接続部１１ｃに接続された横枝管１３と、から主に構成されている。そして、各階の居住区から発生する汚水や雑排水は、その排水口に接続された横枝管１３を経て管継手１１に集められ、上階からの汚水などと合流して排水立て管１２内をその管軸に沿って略鉛直に流下し、最下層において、公共下水道に排出されるようになっている。
【０００３】
この場合、管継手１１や排水立て管１２には、その内周面に旋回羽根１１ｘ（図３参照）が設けられており、排水立て管１２内の汚水などを旋回羽根１１ｘに沿って旋回流として流下させ、管内の空気圧力変動を抑えるようにしている。
【０００４】
ここで、管継手１１，１１’や排水立て管１２は、床スラブＦなどに形成された貫通孔ｋに挿通された後、その外周面と貫通孔ｋの内周面との隙間にモルタルｍを充填して貫通孔ｋを埋め戻すことにより、床スラブＦなどに固定される。
【０００５】
このような排水配管１０においては、汚水などが旋回流となって流下する際、管継手１１や排水立て管１２からの騒音が空気伝播して居住区に侵入するとともに、管継手１１や排水立て管１２の振動に伴う騒音が床スラブＦなどを伝播して居住区に侵入する。これらの空気伝播音や固体伝播音からなる排水騒音は、室内環境や居住空間の快適性が求められる昨今においてますますクローズアップされており、この種の排水騒音を低減するための様々な提案がなされている。
【０００６】
例えば、建築物の区画貫通部に挿通された管継手や管の外周面にロックウールシートを巻き付けたり、区画貫通部にロックウールを充填させて振動を防止することが広く行われている他、特許文献１には、建築物の区画貫通部に配設される管継手の外周面に弾性材料からなる防振材を付設し、モルタルにて区画貫通部を埋め戻すことが記載されている。また、特許文献２には、管継手の外周面に、鉛や鉛系合金などの加重体を設けるとともに、その外周に弾性体を設け、これらの加重体および弾性体を締め付け体にて締め付け固定し、モルタルにて区画貫通部を埋め戻すことが記載されている。
【特許文献１】特開平６−３０６９０４号公報
【特許文献２】特開平１０−３１１４８９号公報
【発明の開示】
【発明が解決しようとする課題】
【０００７】
しかしながら、防振吸音対策として管継手や管にロックウールシートや弾性材料製防振材を巻き付けたり、あるいは、区画貫通部にロックウールを充填するものでは、音や振動を減衰させることができるものの、外部への透過を阻止することはできない。例えば、排水立て管や管継手を流下する際に発生する騒音は、ロックウールや弾性材料製防振材を透過し、必ずしも排水騒音を低減することはできないものである。
【０００８】
なお、防振吸音対策をロックウールで行う場合には、区画貫通部の防火対策、例えば、ロックウールの脱落防止などに現場で複雑な作業が必要となり、コストがかさむものとなる。
【０００９】
また、特許文献２の場合、比重の大きな加重体を管継手に装着し、重量増加によって振動帯域を下げて排水騒音を抑制しようとするものであるが、重量の大きな加重体を巻き付ける作業は容易ではない。特に、排水立て管の全長にわたって巻き付けることは、排水立て管に大きな負荷を作用させるとともに、作業者に大きな負担を強いることになり、採用することはできない。このため、排水立て管には、別の騒音対策を採らなければならず、作業が煩雑になることが避けられない。
【００１０】
本発明は、このような問題点に鑑みてなされたもので、音や振動を確実に低減することのできる耐火性を有する遮音防振シートを提供するものである。
【００１１】
また、本発明は、耐火性能を確保しつつ、音や振動を確実に低減することのできる遮音防振シートを巻き付けた管継手または管を提供するとともに、建築物の区画貫通部の耐火性能を確保しつつ、空気伝播音や固体伝播音を確実に低減することのできる管継手構造または管構造、さらには、耐火性能を確保しつつ、空気伝播音を確実に低減することのできる排水立て管構造を提供するものである。
【課題を解決するための手段】
【００１２】
本発明の遮音防振シートは、金属被膜を設けた樹脂シートからなる外層と、外層の樹脂シート側に積層され、高比重の無機質繊維製シートからなる中間層と、中間層に積層され、低比重の無機質繊維製シートからなる内層と、から構成されることを特徴とするものである。
【００１３】
本発明において、樹脂シートとしては、塩化ビニル、ポリエチレン、ポリプロピレン、ポリエチレンテレフタレートなどからなるシートを使用することができ、特に限定されない。
【００１４】
金属としては、アルミや銅などを挙げることができ、特に限定されない。また、被膜形成方法としては、蒸着やコーティングなどを挙げることができる。
【００１５】
金属被膜を設けた樹脂シートの厚みとしては、０．０５ｍｍから１．０ｍｍが好ましいが、防水性と一定時間の耐火性能を確保すればよく、特に限定されない。
【００１６】
本発明において、無機質繊維製シートとしては、ガラスウール、ロックール、スチールウールなどを挙げることができる。
【００１７】
低比重の無機質繊維製シートとは、比重が０．１〜０．４の無機質繊維製シートを指す。比重が０．１未満であると、シートとして巻き付ける際の厚みなどの形状保持が困難となる他、十分な吸音性能が得られない。比重が０．４を超えても、経済性が低下するわりに吸音性能の向上が得られない。
【００１８】
低比重の無機質繊維製シートの厚みとしては、３．０〜２５．０ｍｍが好ましい。厚みが３．０ｍｍ未満であると、十分な吸音性能が得られない。厚みが２５．０ｍｍを超えると、曲げ加工などの施工性が悪くなる。
【００１９】
また、高比重の無機質繊維製シートとは、比重が０．５〜１．６の無機質繊維製シートを指す。比重が０．５未満であると、十分な遮音性能が得られない。また、比重が１．６を超えても、遮音性能向上に対する経済性を確保することが困難となる。なお、比重は高いほど遮音性の向上を図ることができるため好ましいが、遮音性能向上に対する経済性を確保するためには、上限は、１．６以下が好ましい。
【００２０】
高比重の無機質繊維製シートの厚みとしては、１．０〜５．０ｍｍが好ましい。厚みが１．０ｍｍ未満であると、十分な遮音性能が得られない。厚みが５．０ｍｍを超えると、曲げ加工などの施工性が悪くなる。
【００２１】
この場合、遮音性を向上させるため、鉄粉や硫酸バリウム、水酸化アルミなどの高比重の無機充填材を添加してもよい。
【００２２】
本発明によれば、音や振動は、内層である低比重の無機質繊維製シートが吸音層として機能することにより、反射することなく吸収されて減衰される。そして、内層によって減衰されて中間層に到達した音や振動は、中間層である高比重の無機質繊維製シートが遮音層として機能することにより、外部へ透過することが抑制される。また、外層である金属被膜を設けた樹脂シートは、耐火層として機能し、燃焼を防止し、かつ、モルタルを埋め戻す際の防水層として作用する。
【００２３】
この結果、音や振動を、外部への透過を抑制しつつ低減することができ、また、耐火性能を確保することができる。
【００２４】
本発明の管継手または管は、前記請求項１記載の遮音防振シートが、建築物の区画貫通部に挿通されるとともに、建築物の排水配管を構成する管継手または管の、前記区画貫通部に対応する部分に巻き付けられていることを特徴とするものである。
【００２５】
本発明によれば、管継手または管に遮音防振シートが巻き付けられていることにより、汚水などが管継手または管を流下する際の音や振動は、遮音防振シートの内層である低比重の無機質繊維製シートが吸音層として機能し、反射することなく吸収されて減衰される。そして、内層によって減衰されて中間層に到達した音や振動は、中間層である高比重の無機質繊維製シートが遮音層として機能することにより、外部へ透過することが抑制される。また、外層である金属被膜を設けた樹脂シートは、耐火層として機能し、燃焼を防止する。さらに、工場などにおいて管継手や管に遮音防振シートを巻き付けておくことにより、現場での作業を軽減することができる。
【００２６】
この結果、汚水などが管継手や管を流下する際の音や振動を、外部への透過を抑制しつつ低減することができ、また、耐火性能を確保することができる。したがって、建築物の区画貫通部に好適な管継手や管を提供できる。
【００２７】
本発明の管継手構造または管構造は、前記請求項２記載の管継手または管が、建築物の区画貫通部に挿通されるとともに、区画貫通部がモルタルによって埋め戻されていることを特徴とするものである。
【００２８】
本発明によれば、遮音防振シートが巻き付けられた管継手や管は、建築物の区画貫通部に配置され、モルタルを介して固定される。
【００２９】
この結果、建築物の区画貫通部の耐火性能を確保することができ、また、区画貫通部に配設された管継手や管を流下する汚水などによる音や振動を、外部への透過を抑制しつつ低減することができる。このため、汚水などが区画貫通部に配設された管継手や管を流下する際に発生する音が空気伝播する空気伝播音や、床スラブなどを伝播する固体伝播音を低減することができる。
【００３０】
本発明の排水立て管構造は、前記請求項１記載の遮音防振シートが、建築物の排水配管を構成する管継手および該管継手に接続された排水立て管の全長にわたって巻き付けられていることを特徴とするものである。
【００３１】
本発明によれば、排水立て管および管継手の全長にわたって遮音防振シートが巻き付けられていることにより、建築物における排水配管の排水立て管および管継手を流下する排水による音や振動は、遮音防振シートの内層である低比重の無機質繊維製シートが吸音層として機能し、減衰される。そして、内層によって減衰されて中間層に到達した音や振動は、中間層である高比重の無機質繊維製シートが遮音層として機能し、外部へ透過することが抑制される。また、外層である金属被膜を設けた樹脂フィルムは、耐火層として機能し、燃焼を防止する。
【００３２】
この結果、排水立て管および管継手の耐火性能を確保することができ、また、排水立て管および管継手を流下する汚水などによる音や振動を、外部への透過を抑制しつつ低減することができる。このため、汚水などが管継手や排水立て管を流下する際に発生する音が空気伝播する空気伝播音を低減することができる。
【発明の効果】
【００３３】
本発明の遮音防振シートによれば、耐火性を有するとともに、空気伝播音や固体伝播音を確実に低減することができる。
【００３４】
また、本発明の管継手または管によれば、耐火性能を確保しつつ、音や振動を確実に低減することができる。
【００３５】
さらに、本発明の管継手構造または管構造によれば、建築物の区画貫通部の耐火性能を確保しつつ、空気伝播音や固体伝播音を確実に低減することができる。
【００３６】
さらにまた、本発明の排水立て管構造によれば、耐火性能を確保しつつ、空気伝播音を確実に低減することができる。
【発明を実施するための最良の形態】
【００３７】
以下、本発明の実施の形態を図面に基づいて説明する。
【００３８】
図１には、本発明の遮音防振シート１の一実施形態が示されている。
【００３９】
この遮音防振シート１は、外層２と、外層２に積層された中間層３と、中間層３に積層された内層４と、から構成され、厚みが１５ｍｍに形成されている。そして、外層２は、金属被膜２１、例えば、アルミを蒸着してなるポリエチレンシート２２であって、厚みが０．５ｍｍに形成されている。また、中間層３は、高比重の無機質繊維製シート、具体的には、比重０．７のロックウールシートであって、厚みが２．５ｍｍに形成されている。さらに、内層４は、低比重の無機質繊維製シート、具体的には、比重０．２のロックウールシートであって、厚みが１２．０ｍｍに形成されている。
【００４０】
このような遮音防振シート１は、外層２が耐火層として機能し、耐火性能を確保することができる。また、内層４は吸音層として機能し、内層４で音や振動を減衰させることができる。さらに、中間層３は遮音層として機能し、内層４によって減衰された音や振動を外部へ透過しないように遮音することができる。この結果、音や振動を、外部への透過を抑制しつつ確実に低減させることができるとともに、耐火性能を確保することができる。
【００４１】
このような遮音防振シート１は、建築物の区画貫通部の遮音防振対策に好適に使用することができる。以下、建築物の区画貫通部に配設される管継手に遮音防振シート１を巻き付ける要領を説明する。
【００４２】
ここで、管継手として、図７において、横枝管１３を接続するとともに、排水立て管１２を接続する管継手１１を例示するが、その他の管継手であってもよく、また、管継手に限らず排水立て管についても同様に行なわれる。
【００４３】
まず、管継手１１を用意し、建築物の区画貫通部、具体的には、床スラブＦに形成された貫通孔ｋに挿通される部分であるテーパー筒部１１１の外周面の全周にわたって、外層２を外面として遮音防振シート１を巻き付ける（図２（ａ）参照）。そして、管継手１１のテーパー筒部１１１の外周面と、遮音防振シート１の上端縁部および下端縁部との間に接着テープ５を貼着し、管継手１１に対して遮音防振シート１を装着する（図２（ｂ）参照）。
【００４４】
この場合、接着テープ５としては、耐熱性を有することが好ましく、例えば、アルミガラスクロステープを好適に採用することができる。
【００４５】
このように、管継手１１に対する遮音防振シート１を予め工場などで装着することにより、現場での作業を削減できるとともに、品質を確保して安定的に供給することができる。
【００４６】
このようにして、遮音防振シート１が巻き付けられた管継手１１は、現場に搬入され、床スラブＦの貫通孔ｋに挿通される（図３（ａ）参照）。
【００４７】
この際、管継手１１の横枝管接続部１１ｃの少なくとも下半部外周面に遮音防振シート１を装着して、床スラブＦと管継手１１の横枝管接続部１１ｃが直接接触しないようにすることが好ましい。
【００４８】
床スラブＦの貫通孔ｋに管継手１１が挿通されたならば、管継手１１の外周面と貫通孔ｋの内周面との隙間にモルタルｍを充填し、貫通孔ｋを埋め戻すことによって管継手１１を床スラブＦの貫通孔ｋに固定する（図３（ｂ）参照）。
【００４９】
次いで、管継手１１の上部開口接続部１１ａおよび下部開口接続部１１ｂにそれぞれ排水立て管１２を接続する一方、その横枝管接続部１１ｃに横枝管１３を接続すればよい。
【００５０】
なお、詳細には図示しないが、床スラブＦに形成された貫通孔ｋに排水立て管１２が挿通される場合には、その貫通孔ｋに挿通される部分に遮音防振シート１を巻き付ける他、区画貫通部が隔壁の貫通孔である場合も、同様に、その貫通孔に挿通される配管の、貫通孔に対応する部分に遮音防振シート１を巻き付ける。さらに、区画貫通部に配置されない管継手１１や排水立て管１２については、後述するように、全長にわたって遮音防振シート１を巻き付ければよい（図６参照）。
【００５１】
また、このような区画貫通部に配設された遮音防振シート１は、平成１７年度消防庁告示第４号の耐火性能試験に準拠する試験により検証を実施し、遮炎性能、遮煙性能、遮熱性能について問題ないことが確認されている。
【００５２】
次に、このように建築物の区画貫通部に配設された管継手を含む排水配管において、振動および騒音の評価を行った。
【００５３】
振動の評価は、図４に示すように、１階の管継手をモルタルＭによって固定し、３階に相当する高さ３ｍから排水した際に、１階の管継手１１を固定するモルタルＭに発生する振動を測定することにより行った。
【００５４】
ここで、振動計として、リオン社製のＳＡ−３０を用いた。また、振動ピックアップＰｃとして、リオン社製のＰＶ−８５を用い、管継手１１の中心から２９０ｍｍ離れた位置であって、横枝管接続部１１ｃの軸心から４５度となるモルタルＭの表面に設置した。
【００５５】
なお、モルタルＭは、縦６００ｍｍ×横６００ｍｍ×高さ１５０ｍｍである。また、３階および２階の管継手１１は、床スラブＦの貫通孔ｋにモルタルｍを介して固定した他、１階の管継手１１は、モルタルＭで固定した後、公知の支持金具によってもモルタルＭに固定した。
【００５６】
実施例１として、１００Ａサイズの管継手１１に、厚み０．５ｍｍのアルミ蒸着ポリエチレンシートを外層２とし、厚み２．５ｍｍのロックウールシート（比重０．７）を中間層３とし、厚み１２ｍｍのロックウールシート（比重０．２）を内層４とした厚み１５ｍｍの遮音防振シート１を巻き付けたものを用いた。また、実施例２として、８０Ａサイズの管継手１１に、厚み０．２ｍｍのアルミ蒸着ポリエチレンシートを外層２とし、厚み２．０ｍｍのロックウールシート（比重１．０）を中間層３とし、厚み１５ｍｍのロックウールシート（比重０．２５）を内層４とした厚み１７．２ｍｍの遮音防振シート１を巻き付けたものを用いた。
【００５７】
一方、比較例１としては、１００Ａサイズの管継手１１を遮音防振シート１を巻き付けることなくそのまま用いた。比較例２としては、８０Ａサイズの管継手１１を遮音防振シート１を巻き付けることなくそのまま用いた。
【００５８】
このような実施例および比較例について、負荷流量１．５リットル／秒の場合と４．５リットル／秒の場合について、振動値を測定した。その測定結果を、管継手サイズ、遮音防振シートの有無および内容とともに、表１に示す。
【００５９】
【表１】
2007262713.tif 000003
表１によれば、遮音防振シート１を巻き付けた管継手１１は、遮音防振シート１を巻き付けない管継手１１に比較して、管継手１１を固定するモルタルＭに発生する振動を大幅に低減することができるものとなった。
【００６０】
騒音の評価は、図５に示すように、試験塔の４階を通過する管継手１１および排水立て管１２の全長にわたって遮音防振シート１を巻き付け、その周囲を外界の騒音から遮断するように測定室として区画し、１５階乃至１７階から排水した際に、４階の測定室で発生する騒音を測定することにより行った。
【００６１】
ここで、騒音計として、リオン社製のＮＡ−２９を用いた。また、マイクロフォンＭｃは、遮音防振シート１から５００ｍｍ離れた位置であって、管継手１１の横枝管接続部１１ｃの軸心から上方に１０００ｍｍ離れた位置に配置した。
【００６２】
実施例１として、１００Ａサイズの管継手１１および該管継手１１に接続された排水立て管１２に、厚み０．５ｍｍのアルミ蒸着ポリエチレンシートを外層２とし、厚み２．５ｍｍのロックウールシート（比重０．７）を中間層３とし、厚み１２ｍｍのロックウールシート（比重０．２）を内層４とした厚み１５ｍｍの遮音防振シート１を巻き付けたものを用いた。また、実施例２として、８０Ａサイズの管継手１１および該管継手１１に接続された排水立て管１２に、厚み０．２ｍｍのアルミ蒸着ポリエチレンシートを外層２とし、厚み２．０ｍｍのロックウールシート（比重１．０）を中間層３とし、厚み１５ｍｍのロックウールシート（比重０．２５）を内層４とした厚み１７．２ｍｍの遮音防振シート１を巻き付けたものを用いた。
【００６３】
一方、比較例１としては、１００Ａサイズの管継手１１および該管継手１１に接続された排水立て管１２を遮音防振シート１を巻き付けることなくそのまま用いた。比較例２としては、８０Ａサイズの管継手１１および該管継手１１に接続された排水立て管１２を遮音防振シート１を巻き付けることなくそのまま用いた。比較例３としては、１００Ａサイズの管継手１１および該管継手１１に接続された排水立て管１２に、厚み０．５ｍｍのアルミ蒸着ポリエチレンシートおよび厚み１４．５ｍｍのロックウールシート（比重０．２）を積層した厚み１５ｍｍの防振シートを巻き付けたものを用いた。
【００６４】
このような実施例および比較例について、１７階から負荷流量１．５リットル／秒を定常流として流した場合と、１７階、１６階および１５階からそれぞれ１．５リットル／秒ずつ定常流として流し、１５階において４．５リットル／秒となるように設定した場合について、騒音を測定した。その測定結果を、管継手サイズ、遮音防振シートの有無および内容とともに、表２に示す。
【００６５】
【表２】
2007262713.tif 000004
表２によれば、遮音防振シート１を巻き付けた管継手１１および排水立て管１２は、遮音防振シート１を巻き付けない管継手１１および排水立て管１２（比較例１，２）や、低比重のロックウールシートを巻き付けた管継手１１および排水立て管１２（比較例３）に比較して、騒音を大幅に低減することができるものとなった。
【産業上の利用可能性】
【００６６】
以上のように本発明によれば、耐火性を有する遮音防振シートによって音や振動を確実に低減することができることから、管継手や管に遮音防振シートを巻き付けて建築物の区画貫通部に設けたり、各階を通過する部分に設けることにより、それらを流下する汚水などによる空気伝播音や固体伝播音を確実に低減することができ、室内環境や居住空間の快適性の向上を図ることができる。しかも、管継手や管の区別なく巻き付けて使用することができることから、現場での作業性が大幅に向上し、作業効率を大幅に改善することができるものとなる。
【図面の簡単な説明】
【００６７】
【図１】本発明の遮音防振シートの一実施形態を模式的に示す断面図である。
【図２】管継手に遮音防振シートを巻き付ける要領を説明する斜視図である。
【図３】遮音防振シートを巻き付けた管継手を区画貫通部に配設する要領を説明する断面図である。
【図４】振動の評価試験を説明する概略図である。
【図５】騒音の評価試験を説明する概略図である。
【図６】図５の騒音の評価試験において、４階の測定室を示す拡大図である。
【図７】建築物の排水配管を説明する概略図である。
【符号の説明】
【００６８】
１  遮音防振シート
２  外層
３  中間層
４  内層
１０  排水配管
１１  管継手
１２  排水立て管
１３  横枝管
【図１】
2007262713.tif 000005
【図２】
2007262713.tif 000006
【図３】
2007262713.tif 000007
【図４】
2007262713.tif 000008
【図５】
2007262713.tif 000009
【図６】
2007262713.tif 000010
【図７】
2007262713.tif 000011